(57)【特許請求の範囲】
【請求項１】
光ケーブル（２４、２５）から引き出した光ファイバ（２８、３１）を切替用光ファイバ（３３、５９ａ、７１ａ、７１ｂ、７１ｃ）と切替接続可能に成端する線路側成端部（２１ａ、７５）と、伝送装置側の光ファイバ（３５）を前記切替用光ファイバと切替接続可能に成端する装置側成端部（２３ａ、７３）と、内蔵した光カプラを介して前記光ケーブル側の光ファイバ、前記伝送装置側の光ファイバ、前記切替用光ファイバを光パルスにより光線路を監視する線路監視装置へ接続する光ファイバ選択装置（５８）に対して接続する複数のカプラモジュール（５５、５９、６０、７６ａ）を収納してなるカプラユニット（５４、７６）と、前記光ケーブル側の光ファイバ又は前記伝送装置側の光ファイバと前記カプラモジュールとを接続した切替用光ファイバ（３３ａ、３３ｂ、５９ａ、７１ａ、７１ｂ）と、線路側成端部と装置側成端部との間に配線されて光ケーブル側、伝送装置側の光ファイバ同士を接続した切替用光ファイバ（３３ｃ、７１ｃ）とを架体（２１、７７）内に収納し、
前記線路側成端部は、光コネクタアダプタ（４５）を横並びに複数配列固定したアダプタパネル（４３）と、一端が前記光コネクタアダプタに接続可能な光コネクタプラグ（５０）により成端された成端光ファイバ（５１）の他端にコネクタ成端されてない光ケーブル側の光ファイバ（２８）を融着接続した融着接続部（５２）を収納する薄板状に形成され、横並びに複数配列設置された接続モジュール（４４）とを備える成端ユニット（２９）を具備し、前記光コネクタアダプタを介して、コネクタ成端されている光ケーブル側の光ファイバ（３１）又は前記成端光ファイバと前記切替用光ファイバとをコネクタ接続するようになっており、
前記カプラモジュールは、前記線路側成端部にて光ケーブル側の光ファイバ（２８、３１）と接続された切替用光ファイバと前記伝送装置側の光ファイバ、あるいは、線路側成端部の前記光ケーブル側の光ファイバ及び前記装置側成端部の前記伝送装置側の光ファイバにそれぞれ接続した切替用光ファイバ同士を前記光カプラを介して切替接続可能であり、
光ケーブル側の光ファイバと前記伝送装置側の光ファイバとを線路側成端部と装置側成端部との間に配線した切替用光ファイバ（３３ｃ、７１ｃ）を介して接続した状態と、切替用光ファイバを用いて、前記光ケーブル側の光ファイバと前記伝送装置側の光ファイバとを前記カプラモジュールを介して接続した状態とを切り替えできることを特徴とする光配線盤（２０、７０）。
【請求項２】
前記線路側成端部が設けられている線路側架体（２１）と、前記装置側成端部が設けられている装置側架体（２３）とが中継架体（２２）を介して連結されて該中継架体の左右に配置され、前記切替用光ファイバが前記中継架体を経由して配線されることを特徴とする請求項１記載の光配線盤。
【請求項３】
装置側成端部（７３）が架体（７７）の上部、線路側成端部（７５）が架体の中央部、カプラユニット（７６）が架体の下部に収納されていることを特徴とする請求項１記載の光配線盤。
【請求項４】
光ケーブル（２４、２５）から引き出した光ファイバ（２８、３１）を切替用光ファイバ（８７）、伝送装置側の光ファイバ（３５）と切替接続可能に成端する線路側成端部（８１）と、内蔵した光カプラを介して前記光ケーブル側の光ファイバ、前記伝送装置側の光ファイバ、前記切替用光ファイバを光パルスにより光線路を監視する線路監視装置へ接続する光ファイバ選択装置（５８）に対して接続する複数のカプラモジュール（８６ａ）を収納してなるカプラユニット（８６）と、前記線路側成端部の光ケーブル側の光ファイバと前記カプラユニットとを接続した前記切替用光ファイバとを架体（８２）内に収納し、
前記線路側成端部は、光コネクタアダプタ（８５）を横並びに複数配列固定したアダプタパネル（８４）と、一端が前記光コネクタアダプタに接続可能な光コネクタプラグ（５０）により成端された成端光ファイバ（５１）の他端にコネクタ成端されてない光ケーブル側の光ファイバ（２８）を融着接続した融着接続部（５２）を収納する薄板状に形成され、横並びに複数配列設置された接続モジュール（４４）とを備える成端ユニット（８３）を具備し、前記光コネクタアダプタを介して、コネクタ成端されている光ケーブル側の光ファイバ（３１）又は前記成端光ファイバと前記切替用光ファイバとをコネクタ接続するようになっており、
前記カプラモジュールは、線路側成端部の前記光ケーブル側の光ファイバに接続した切替用光ファイバと前記伝送装置側の光ファイバとを前記光カプラを介して切替接続可能であり、
一端が前記光ケーブル側の光ファイバに対して切替接続可能、他端が前記カプラユニット内のカプラモジュールに対して切替接続可能な前記切替用光ファイバによって、前記光ケーブル側の光ファイバと前記カプラモジュールとを接続して、光ケーブル側の光ファイバの光線路と前記伝送装置側の光ファイバの光線路とを前記カプラモジュールを介して切替可能に接続してなり、
さらに、前記切替用光ファイバの前記カプラモジュールに対する接続を解除して、光ケーブル側の光ファイバに、前記線路側成端部に引き込まれた前記伝送装置側の光ファイバを切替可能に接続した状態と、前記伝送装置側の光ファイバと前記カプラモジュールとを接続した状態とを切り替えできることを特徴とする光配線盤（８０）。
【請求項５】
前記カプラモジュール（５５）は、前記光ケーブル側の光ファイバ、前記伝送装置側の光ファイバ、前記切替用光ファイバの内のいずれか一つまたは複数が切替可能にコネクタ接続される一対のアダプタ部（５６）と、前記光ファイバ選択装置の接続端子（５７）に接続される監視用端子（５５ａ）とを備え、両アダプタ部に接続した光ファイバ同士が前記光カプラを介して接続されさらに線路監視装置とも接続されるようになっていることを特徴とする請求項１〜４のいずれかに記載の光配線盤。
【請求項６】
前記カプラモジュール（５９）は、外側に引き出されたカプラ接続用光ファイバ（５９ａ）と、前記光ケーブル側の光ファイバ、前記伝送装置側の光ファイバ、前記切替用光ファイバの内のいずれか一つまたは複数が切替可能にコネクタ接続されるアダプタ部（５９ｂ）と、前記光ファイバ選択装置の接続端子（５７）に接続される監視用端子（５９ｃ）とを備え、前記アダプタ部に接続された光ファイバと前記カプラ接続用光ファイバとを前記光カプラを介して光接続し、さらに線路監視装置とも接続するようになっており、
前記カプラ接続用光ファイバは光コネクタプラグ（５９ｄ）によって成端されており、線路側成端部あるいは装置側成端部の光コネクタアダプタ（４０、４５）を介して光ケーブル側あるいは伝送装置側の光ファイバに切替可能にコネクタ接続される、切替用光ファイバとして機能することを特徴とする請求項１〜３のいずれかに記載の光配線盤。
【請求項７】
コネクタ接続可能に成端されていない前記光ケーブル側の光ファイバと前記カプラモジュールから外側に引き出されたカプラ接続用光ファイバ（６０ａ）との融着接続部（６１ａ）を収納する接続モジュール（６１）が前記カプラユニット内に組み込まれ、光ケーブル側のコネクタ接続可能に成端されていない光ファイバを、線路側成端部を経由せずに、前記カプラ接続用光ファイバと接続できることを特徴とする請求項１〜３のいずれかに記載の光配線盤。
【発明の詳細な説明】
【０００１】
【発明の属する技術分野】
本発明は、光配線盤に係り、特に光線路の断線等を監視する線路監視装置を具備する光配線盤に関するものである。
【０００２】
【従来の技術】
図１４は、従来例の光配線盤を示す正面図である。
図１４中符号１は函体であり、複数本の光ケーブル２が上部あるいは下部から引き込まれている。これら光ケーブル２は前記函体１の側板１０に沿って配設し、函体１下部の分岐部４ａにてケーブルクランプ４ｂやテンションメンバクランプ４ｃによって固定し、口出して光ファイバ心線３ａを引き出している。これら光ファイバ心線３ａは函体１下部の融着部トレー収納部Ｔ1に引き込み、該融着部トレー収納部Ｔ1内に多段に積層した引き出し式の融着部トレー６、６…へ振り分けて収納している。各融着部トレー６、６…では、前記光ファイバ心線３ａと分岐接続用のファンアウトコード３ｂの分岐されていない一端とを図示しない融着接続補強部を介して接続している。融着部トレー収納部Ｔ1にて融着部トレー６、６…は、函体１の背面板１１に取り付けたスライドユニット１２内に収納されて前後方向（図１４紙面奥行き方向）に引き出し／収納可能になっている。
【０００３】
前記ファンアウトコード３ｂは前記融着部トレー収納部Ｔ1の上側に設置したセンタートレー９を介して上側に引き出し、さらに該ファンアウトコード３ｂの分岐された他端は前記センタートレー９の上側に設置した分岐接続トレー収納部Ｔ2内に多段に積層された引き出し式の各分岐接続トレー８、８…内に図中左側から導入し、右側から分岐接続トレー８に導入されたジャンパコードｊ（光コード）と図示しない光コネクタを介して接続切替可能に接続している。前記分岐接続トレー収納部Ｔ2にて分岐接続トレー８、８…は、函体１の背面板１１から突設されたガイド棒１５にガイドされて前後方向（図１４紙面奥行き方向）に引き出し／収納可能になっている。
ジャンパコードｊは、二つの分岐接続トレー８、８間に配線され、分岐接続トレー８内にてファンアウトコード３ｂの分岐された他端と接続することで、目的の光線路同士を接続する。ジャンパコードｊの余長は、分岐接続トレー収納部Ｔ2内に収納されるか、あるいは函体１側面の支持具４（コードクランプ）を利用して折り返すようにして配線される。
【０００４】
また、分岐接続トレー８内では、函体１の上部および下部に配置された渡配線収納トレー９ａ、９ｂから函体１内に導入された渡配線３ｄ（光コード）とファンアウトコード３ｂと接続する場合もある。これにより、光ケーブル２によって函体１内に引き込んだ光線路を函体１外の光線路と接続することができる。
函体１の両側板１０の内面側には支持具４を多数突設し、この支持具４によって函体１内のファンアウトコード３ｂ、ジャンパコードｊ、渡配線３ｄを、光伝送特性に影響を与えない程度の適切なクランプ力で着脱可能にクランプして引き留めている。
【０００５】
ところで、近年では、光ファイバネットワークの複雑化に伴って、複数の光配線盤を使用して光線路の接続数や分岐数を増大する等の対策がとられている。複数の光配線盤を使用する場合では、連設した複数の光配線盤間をジャンパコード等で接続することで、光線路の接続数や分岐数に対応している。
図１５は、対応心数を増大した光配線盤の一例を示す正面図である。この光配線盤は、線路側の光ケーブル１６から引き出した光ファイバ１６ａを接続可能に成端する線路側架体１７と、伝送装置側の光ファイバ１８を接続可能に成端する装置側架体１９と、前記線路側架体１７と装置側架体１９との間に配線されるジャンパコードｊを収納する中継架体Ｃとを備える。線路側架体１８は融着部トレー収納部１８ａと分岐接続トレー収納部１８ｂとを備え、装置側架体１９は分岐接続トレー収納部１９ｂを備え、ジャンパコードｊは両架体１８、１９の分岐接続トレー収納部１８ｂ、１９ｂ間に配線され、線路側の光ファイバ１６ａに係る光線路と伝送装置側の光ファイバ１８に係る光線路とを切替可能に接続する。
また、試験用光パルスを使用して光線路の断線等を試験するには、光カプラを内蔵したカプラユニットを介して該当の光線路に線路監視装置を接続する。
【０００６】
【発明が解決しようとする課題】
ところで、特定の光線路について線路監視を行うには、監視対象の光線路の光ファイバを既設の光配線盤内に設置したカプラユニットにて線路監視装置と接続するか、あるいは別途設置したカプラユニット専用の光配線盤に引き込んで線路監視装置と接続する必要がある。
しかしながら、図１４や図１５に示した光配線盤内にカプラユニットを設置すると光配線盤の大型化を招いたり、該光配線盤における光ファイバの配線スペースが確保しにくくなることに起因して光線路の接続数等の対応心数の増大が困難になるといった問題が生じる。一方、カプラユニット専用の光配線盤を設置する場合では、設置スペースの確保が困難になることやコストが上昇するといった問題が生じる。
【０００７】
図１４に示した光配線盤内にカプラユニットを設置した場合では、例えば、光ケーブル２側の光ファイバ心線３ａと接続したファンアウトコード３ｂを分岐接続トレー収納部Ｔ2にて単心分岐し、線路監視を行う光線路については分岐接続トレー収納部Ｔ2とカプラユニットとの間に布線した光ファイバと接続することになる。しかしながら、光配線盤内はカプラユニットの設置スペース等によって狭くなるため、ジャンパコードｊ等の切り替え用の光ファイバの切替作業スペースが十分に確保できなくなって切替作業性が大幅に低下するとともに、対応心数の増大が困難になってしてしまう。しかも、カプラユニットを経由して接続する光ファイバ間の切替接続を可能にする適当なカプラユニットがこれまで無ったため、切替作業性を迅速に行うことができなかった。
【０００８】
前記問題に鑑みて、光配線盤内に設置したカプラユニットの近傍に線路監視を行う光線路に係る光ファイバを集合し、線路監視を行わない光ファイバをカプラユニットから離間した場所に集合して振り分け収納する対策も考えられるが、振り分けた光ファイバ本数の違いによって光配線盤内に無駄な収納スペースが生じる場合があり、問題を根本的に解決することができない。
また、予めコネクタ成端された光ファイバを具備するいわゆるコネクタ付き光ケーブルを光配線盤内に引き込み別の光ファイバと接続する場合には、例えば図１４に示した光配線盤の融着部トレー収納部Ｔ1や、図１５に示した光配線盤の融着部トレー収納部１８ａが無駄になる場合があり、光配線盤内の容積を十分に有効利用できないといった問題もある。
【０００９】
また、線路監視の有無に対応して振り分け配線を行った場合には、光配線盤内にて線路監視の有無を切り替えるには、該当の光ファイバの他に該光ファイバをカプラユニットに接続する光ファイバ等をも移動しなければならず、切替作業性の改善が困難であるといった問題もある。しかも、前記コネクタ付きケーブルの光ファイバとコネクタ成端されていない一般光ケーブルの光ファイバの両方について線路監視の有無を効率良く切り替えるとなると、適切な技術がこれまで無かったため、これを実現する技術の開発が求められていた。
【００１０】
本発明は、前述の課題に鑑みてなされたもので、以下の目的を達成する光配線盤を提供する。
請求項１記載の発明によれば、
（ａ）光ケーブル側の光ファイバと別の光ファイバとをカプラモジュールを介して切替可能に接続するので、これら光ファイバ同士の接続切替や線路監視の有無の切替をカプラモジュールにて効率良く行うことができる、
請求項２記載の発明によれば、
（ｂ）光ファイバ選択装置の接続端子に監視用端子を接続することで、カプラモジュールが光ファイバ選択装置を介して線路監視装置と接続され、カプラモジュールに接続した光ケーブル側の光ファイバ、前記伝送装置側の光ファイバ、前記切替用光ファイバを効率良く線路監視することができる。
請求項３記載の発明によれば、
（ｃ）光ケーブルから引き出した光ファイバとカプラモジュールに接続されたカプラ接続用光ファイバとの光接続部や余長を接続モジュールによってコンパクトに収納することができ、架体内の容積をより有効に利用することができる、
（ｄ）接続モジュールの有無を選択することにより、光ケーブルから引き出した光ファイバの種類に対応して該光ファイバと別の光ファイバとの切替接続を効率良く行うことができる。
【００１１】
【課題を解決するための手段】
請求項１に係る発明では、光ケーブル（２４、２５）から引き出した光ファイバ（２８、３１）を切替用光ファイバ（３３、５９ａ、７１ａ、７１ｂ、７１ｃ）と切替接続可能に成端する線路側成端部（２１ａ、７５）と、伝送装置側の光ファイバ（３５）を前記切替用光ファイバと切替接続可能に成端する装置側成端部（２３ａ、７３）と、内蔵した光カプラを介して前記光ケーブル側の光ファイバ、前記伝送装置側の光ファイバ、前記切替用光ファイバを光パルスにより光線路を監視する線路監視装置へ接続する光ファイバ選択装置（５８）に対して接続する複数のカプラモジュール（５５、５９、６０、７６ａ）を収納してなるカプラユニット（５４、７６）と、前記光ケーブル側の光ファイバ又は前記伝送装置側の光ファイバと前記カプラモジュールとを接続した切替用光ファイバ（３３ａ、３３ｂ、５９ａ、７１ａ、７１ｂ）と、線路側成端部と装置側成端部との間に配線されて光ケーブル側、伝送装置側の光ファイバ同士を接続した切替用光ファイバ（３３ｃ、７１ｃ）とを架体（２１、７７）内に収納し、前記線路側成端部は、光コネクタアダプタ（４５）を横並びに複数配列固定したアダプタパネル（４３）と、一端が前記光コネクタアダプタに接続可能な光コネクタプラグ（５０）により成端された成端光ファイバ（５１）の他端にコネクタ成端されてない光ケーブル側の光ファイバ（２８）を融着接続した融着接続部（５２）を収納する薄板状に形成され、横並びに複数配列設置された接続モジュール（４４）とを備える成端ユニット（２９）を具備し、前記光コネクタアダプタを介して、コネクタ成端されている光ケーブル側の光ファイバ（３１）又は前記成端光ファイバと前記切替用光ファイバとをコネクタ接続するようになっており、前記カプラモジュールは、前記線路側成端部にて光ケーブル側の光ファイバ（２８、３１）と接続された切替用光ファイバと前記伝送装置側の光ファイバ、あるいは、線路側成端部の前記光ケーブル側の光ファイバ及び前記装置側成端部の前記伝送装置側の光ファイバにそれぞれ接続した切替用光ファイバ同士を前記光カプラを介して切替接続可能であり、光ケーブル側の光ファイバと前記伝送装置側の光ファイバとを線路側成端部と装置側成端部との間に配線した切替用光ファイバ（３３ｃ、７１ｃ）を介して接続した状態と、切替用光ファイバを用いて、前記光ケーブル側の光ファイバと前記伝送装置側の光ファイバとを前記カプラモジュールを介して接続した状態とを切り替えできることを特徴とする光配線盤（２０、７０）を前記課題の解決手段とした。
請求項２に係る発明では、前記線路側成端部が設けられている線路側架体（２１）と、前記装置側成端部が設けられている装置側架体（２３）とが中継架体（２２）を介して連結されて該中継架体の左右に配置され、前記切替用光ファイバが前記中継架体を経由して配線されることを特徴とする請求項１記載の光配線盤を前記課題の解決手段とした。
請求項３に係る発明では、装置側成端部（７３）が架体（７７）の上部、線路側成端部（７５）が架体の中央部、カプラユニット（７６）が架体の下部に収納されていることを特徴とする請求項１記載の光配線盤を前記課題の解決手段とした。
請求項４に係る発明では、光ケーブル（２４、２５）から引き出した光ファイバ（２８、３１）を切替用光ファイバ（８７）、伝送装置側の光ファイバ（３５）と切替接続可能に成端する線路側成端部（８１）と、内蔵した光カプラを介して前記光ケーブル側の光ファイバ、前記伝送装置側の光ファイバ、前記切替用光ファイバを光パルスにより光線路を監視する線路監視装置へ接続する光ファイバ選択装置（５８）に対して接続する複数のカプラモジュール（８６ａ）を収納してなるカプラユニット（８６）と、前記線路側成端部の光ケーブル側の光ファイバと前記カプラユニットとを接続した前記切替用光ファイバとを架体（８２）内に収納し、前記線路側成端部は、光コネクタアダプタ（８５）を横並びに複数配列固定したアダプタパネル（８４）と、一端が前記光コネクタアダプタに接続可能な光コネクタプラグ（５０）により成端された成端光ファイバ（５１）の他端にコネクタ成端されてない光ケーブル側の光ファイバ（２８）を融着接続した融着接続部（５２）を収納する薄板状に形成され、横並びに複数配列設置された接続モジュール（４４）とを備える成端ユニット（８３）を具備し、前記光コネクタアダプタを介して、コネクタ成端されている光ケーブル側の光ファイバ（３１）又は前記成端光ファイバと前記切替用光ファイバとをコネクタ接続するようになっており、前記カプラモジュールは、線路側成端部の前記光ケーブル側の光ファイバに接続した切替用光ファイバと前記伝送装置側の光ファイバとを前記光カプラを介して切替接続可能であり、一端が前記光ケーブル側の光ファイバに対して切替接続可能、他端が前記カプラユニット内のカプラモジュールに対して切替接続可能な前記切替用光ファイバによって、前記光ケーブル側の光ファイバと前記カプラモジュールとを接続して、光ケーブル側の光ファイバの光線路と前記伝送装置側の光ファイバの光線路とを前記カプラモジュールを介して切替可能に接続してなり、さらに、前記切替用光ファイバの前記カプラモジュールに対する接続を解除して、光ケーブル側の光ファイバに、前記線路側成端部に引き込まれた前記伝送装置側の光ファイバを切替可能に接続した状態と、前記伝送装置側の光ファイバと前記カプラモジュールとを接続した状態とを切り替えできることを特徴とする光配線盤（８０）を前記課題の解決手段とした。
請求項５に係る発明では、前記カプラモジュール（５５）は、前記光ケーブル側の光ファイバ、前記伝送装置側の光ファイバ、前記切替用光ファイバの内のいずれか一つまたは複数が切替可能にコネクタ接続される一対のアダプタ部（５６）と、前記光ファイバ選択装置の接続端子（５７）に接続される監視用端子（５５ａ）とを備え、両アダプタ部に接続した光ファイバ同士が前記光カプラを介して接続されさらに線路監視装置とも接続されるようになっていることを特徴とする請求項１〜４のいずれかに記載の光配線盤を前記課題の解決手段とした。。
請求項６に係る発明では、前記カプラモジュール（５９）は、外側に引き出されたカプラ接続用光ファイバ（５９ａ）と、前記光ケーブル側の光ファイバ、前記伝送装置側の光ファイバ、前記切替用光ファイバの内のいずれか一つまたは複数が切替可能にコネクタ接続されるアダプタ部（５９ｂ）と、前記光ファイバ選択装置の接続端子（５７）に接続される監視用端子（５９ｃ）とを備え、前記アダプタ部に接続された光ファイバと前記カプラ接続用光ファイバとを前記光カプラを介して光接続し、さらに線路監視装置とも接続するようになっており、前記カプラ接続用光ファイバは光コネクタプラグ（５９ｄ）によって成端されており、線路側成端部あるいは装置側成端部の光コネクタアダプタ（４０、４５）を介して光ケーブル側あるいは伝送装置側の光ファイバに切替可能にコネクタ接続される、切替用光ファイバとして機能することを特徴とする請求項１〜３のいずれかに記載の光配線盤を前記課題の解決手段とした。
請求項７に係る発明では、コネクタ接続可能に成端されていない前記光ケーブル側の光ファイバと前記カプラモジュールから外側に引き出されたカプラ接続用光ファイバ（６０ａ）との融着接続部（６１ａ）を収納する接続モジュール（６１）が前記カプラユニット内に組み込まれ、光ケーブル側のコネクタ接続可能に成端されていない光ファイバを、線路側成端部を経由せずに、前記カプラ接続用光ファイバと接続できることを特徴とする請求項１〜３のいずれかに記載の光配線盤を前記課題の解決手段とした。
【００１２】
本発明によれば、光ケーブル側の光ファイバ、伝送装置側の光ファイバ、切替用光ファイバの内、互いに接続する２つを同一のカプラモジュールに接続することにより、該カプラモジュールが具備する光カプラを介して接続することができる。同一のカプラモジュールにより接続する光ケーブル側の光ファイバ、伝送装置側の光ファイバ、切替用光ファイバは１本または数本であり、接続本数が多い場合には複数のカプラモジュールにより整理して接続する。
カプラモジュールを介して接続された光ファイバは同時に線路監視装置とも接続される。したがって、光ケーブル側の光ファイバ、伝送装置側の光ファイバは、切替用光ファイバを介してあるいは直接カプラモジュールに接続するだけで簡便に線路監視することができる。しかも、光ケーブル側の光ファイバ、伝送装置側の光ファイバ、切替用光ファイバのカプラモジュールに対する接続を切り替えるだけで、光ケーブル側の光ファイバと伝送装置側の光ファイバとの接続を切り替えることも可能である。
線路監視装置としては、いわゆるＯＴＤＲ（Optical time domain reflectometer）等の光パルス試験器を採用することが一般的である。光パルス試験器を具備した線路監視装置では、光ファイバ心線を選択することにより光線路に試験パルスを送入する光ファイバ選択装置を具備することが一般的である。同一の光ファイバ選択装置には、１または複数のカプラモジュールを監視用端子および接続端子を介して接続する。
【００１３】
本発明では、請求項５記載のように、前記カプラモジュールは、前記光ケーブル側の光ファイバ、前記伝送装置側の光ファイバ、前記切替用光ファイバの内のいずれか一つまたは複数が切替可能にコネクタ接続される一対のアダプタ部と、前記光ファイバ選択装置の接続端子に接続される監視用端子とを備え、両アダプタ部に接続した光ファイバ同士が前記光カプラを介して接続されさらに線路監視装置とも接続されるようになっている構成を採用することがより好ましい。前記アダプタ部には、光ケーブル側の光ファイバ、伝送装置側の光ファイバ、切替用光ファイバのいずれも光コネクタプラグにより成端（以下「プラグ成端」）された端部が切替可能に接続される。いわゆるコネクタ付きケーブルでは、光配線盤内に引き込むとともに端末に引き出した光ファイバを直接カプラモジュールのアダプタ部に接続するか、線路側成端部にて接続した切替用光ファイバを介してアダプタ部に接続する。切替用光ファイバとはいわゆるジャンパコードであり、両端部がプラグ成端されているので、アダプタ部に直接接続することができる。
【００１４】
光ケーブルの端末に引き出した光ファイバがプラグ成端されていない場合あるいはカプラユニットのアダプタ部と適合しない光コネクタプラグにより成端されている場合に、この光ファイバをカプラモジュールに接続して線路監視を行うには、例えば、請求項７記載のように、コネクタ接続可能に成端されていない前記光ケーブル側の光ファイバあるいは前記伝送装置側の光ファイバと前記カプラモジュールに接続されたカプラ接続用光ファイバとを接続した光接続部を収納する接続モジュールを前記カプラユニット内に組み込んだことを具備する構成が採用可能である。
この構成では、光ケーブルから引き出した光ファイバをカプラモジュールと接続されたカプラ接続用光ファイバとを接続モジュールにて接続することにより、光ケーブル側の光ファイバをカプラユニットを介して別の光ファイバと接続することができる。カプラ接続用光ファイバとしてはカプラモジュールから引き出された光ファイバに接続可能にプラグ成端された成端用の光ファイバが採用される。光ケーブルから引き出した光ファイバとカプラモジュールと接続されたカプラ接続用光ファイバとの光接続部としては、融着接続部が採用される。カプラモジュールのアダプタ部に接続可能にプラグ成端された光ファイバは、光ケーブル側の光ファイバをアダプタ部に接続可能に成端する働きをするものであり、例えば、光ケーブル側の光ファイバが前記アダプタ部に適合しない光コネクタプラグによって成端されている場合には、該光ケーブル側の光ファイバとカプラ接続用光ファイバとを光コネクタを介して接続して前記アダプタ部に適合するようにプラグ成端することも可能である。
【００１５】
【発明の実施の形態】
以下本発明の光配線盤の第１実施形態を、図１から図９を参照して説明する。
図１は本実施形態の光配線盤２０を示す正面図である。この光配線盤２０は、線路側架体２１と装置側架体２３とを中継架体２２を介して連結した構成になっている。
線路側架体２１には線路側の光ケーブル２４、２５が引き込まれる。光ケーブル２４は、線路側架体２１の上部から内部に引き込まれ、線路側架体２１側部のケーブル固定具２６およびテンションメンバ固定具２７によって固定される。テンションメンバ固定具２７近傍にて光ケーブル２４端末から引き出した光ファイバ２８（線路側光コード）は、線路側架体２１の上部に設けた線路側成端部２１ａ内に多段に収納した成端ユニット２９、２９…の内の目的の成端ユニット２９に奥側（図１中紙面奥側）から引き込んでいる。一方、光ケーブル２５はいわゆるコネクタ付きケーブルであり、線路側架体２１上部のコネクタ付きケーブル固定部３０に固定される。そして、該コネクタ付きケーブル固定部３０近傍にて引き出した光ファイバ３１（線路側光コード）を、線路側架体２１内に設けた線路側成端部２１ａ内に多段に収納した成端ユニット２９の内の目的の成端ユニット２９に奥側（図１中紙面奥側）から引き込んでいる。
なお、線路側光ファイバ２８、３１はいずれも、図１中奥側から目的の成端ユニット２９に引き込まれる。
図１中符号３２は半径維持部材であり、引っ掛けられた光ファイバ２８、３１の湾曲半径を維持する。
【００１６】
線路側架体２１内にて光ケーブル２４、２５から引き出された光ファイバ２８、３１は、成端ユニット２９にて別の切替用光ファイバ３３（ジャンパコード）と切り替え可能に接続される。切替用光ファイバ３３は、成端ユニット２９から中継架体２２を経由して装置側架体２３に引き込まれ、装置側のコードケーブル３４から引き出された単心あるいは多心の伝送装置側の光ファイバ３５（装置側光コード）と接続される。前記中継架体２２内では、コード支持具３６により切替用光ファイバ３３を支持し、該切替用光ファイバ３３の湾曲半径を確保している。
【００１７】
前記コードケーブル３４は、装置側架体２３の上部に取り付けたコードケーブル固定部３７に固定され、該コードケーブル固定部３７近傍にて装置側光ファイバ３５が引き出される。装置側架体２３内には装置側光ファイバ３５と切替用光ファイバ３３とを切り替え可能に接続する成端ユニット３８を多段に収納しており、コードケーブル３４から引き出された装置側光ファイバ３５は装置側架体２３側部に複数突設したコード支持具３９を経由して湾曲半径を確保しつつ目的の成端ユニット３８に引き込まれ、成端ユニット３８内にて切替用光ファイバ３３と接続される。
【００１８】
図３は成端ユニットの一例を示す側面図である。
図３において、前記成端ユニット３８は光コネクタアダプタ４０を多数取り付けてなるアダプタパネル４１を具備している。装置側光ファイバ３５の光コネクタプラグによってコネクタ接続可能に成端された端部は前記アダプタパネル４１のケーブル側（図３中右側）から前記光コネクタアダプタ４０に差し込まれ、ジャンパ側（図３中左側）から差し込まれた切替用光ファイバ３３のプラグ成端された端部と切替可能に接続される。
図３中符号３８ａはコード受け樋であり、図３中矢印方向に回動自在に支持されている。
なお、装置側架体２３に収納される成端ユニットは前述の構成に限定されず、装置側光ファイバ３５と切替用光ファイバ３３とを接続可能であれば各種構成の採用が可能である。
【００１９】
次に、線路側架体２１に収納される成端ユニット２９の一例を図４から図６を参照して説明する。
図４において、成端ユニット２９は、線路側架体２１に支持されるユニット本体４２と、該ユニット本体４２上に立設したアダプタパネル４３と、前記ユニット本体４２上に横並びに複数配列設置した薄板状の接続モジュール４４とを備えている。
アダプタパネル４３には光コネクタアダプタ４５を横並びに複数配列固定している。前記接続モジュール４４は前記光コネクタアダプタ４５の配列と平行に横並びに配列され、しかも接続モジュール４４と光コネクタアダプタ４５とは１対１に対応している。
各接続モジュール４４はユニット本体４２上に取り付けられた係合バー４６に係合爪４７によって着脱可能に係合し、しかも、図５に示すように係合バー４６を中心として垂直面内を回転自在になっている。また、係合バー４６の近傍には支持バー４８が平行して取り付けられており、アダプタパネル４３方向に回転した接続モジュール４４は前記支持バー４８上に載置することにより安定支持されるようになっている。
【００２０】
図５において、符号４９は心線ダクト、４９ａはコードダクトであり、線路側架体２１内に光ファイバ２８、３１等を引き回すためのものである。
コードダクト４９ａから成端ユニット２９内に引き出された光ファイバ２８は、一端が前記光コネクタアダプタ４５に接続可能な光コネクタプラグ５０により成端された成端光ファイバ５１の他端と光接続部５２（融着接続部）を介して接続する。光接続部５２は余長とともに接続モジュール４４内に収納される。これにより、光ファイバ２８は成端光ファイバ５１によって光コネクタアダプタ４５に接続可能に成端され、アダプタパネル４３のケーブル側（図５中右側）から光コネクタプラグ５０を光コネクタアダプタ４５に差し込むことにより、ジャンパ側（図５中左側）から光コネクタアダプタ４５に差し込まれる切替用光ファイバ３３と切替可能に接続される。
なお、図６に示すように、接続モジュール４４は開閉可能であるので、光接続部５２や余長の収納作業は効率良く行うことができる。
【００２１】
光ファイバ２８が光ファイバ心線等からなる多心光ファイバである時には、図５に示すように、一端がそれぞれ単心光コネクタプラグ５０によって成端された複数の単心線５１ａに分岐され、他端が光ファイバ２８と接続可能な心数の多心光ファイバ５１ｂになっている成端光ファイバ５１を使用する。この時、多心光ファイバ５１ｂ部分と単心線５１ａとの分岐部５１ｃをも光接続部５２等とともに接続モジュール４４内に収納する。
【００２２】
一方、コードダクト４９ａから成端ユニット２９内に引き出された光ファイバ３１は、先端の光コネクタプラグ５３を直接目的の光コネクタアダプタ４５に接続する。この時、該当の光コネクタアダプタ４５に対応する位置の接続モジュール４４は不要であるので、取り外すことにより光コネクタプラグ５３の光コネクタアダプタ４５に対する着脱作業性を向上することができる。
なお、光コネクタアダプタ４５に対する接続を、光ファイバ３１から光ファイバ２８と接続した成端光ファイバ５１へ変更する場合には、接続モジュール４４を設置することにより切り替えることができる。
【００２３】
成端ユニット２９は、光ケーブル２４、２５から引き出された光ファイバ２８、３１の成端の有無に対応してそれぞれ光コネクタアダプタ４５に接続可能な構成であれば、前述の構成に限定されず、各種変更が可能である。
また、図４から図６に示した構成の成端ユニットは、装置側架体２３に適用することも可能であり、この場合にはプラグ成端された装置側光ファイバ３５の他に成端されていない装置側光ファイバにも対応することが可能になる。
【００２４】
図１に示すように、装置側架体２３の下部には光パルスを利用した線路監視装置の光ファイバ選択装置５８（図中「ｆｓ」）を収納し、カプラユニット５４を収納している。
図７は前記カプラユニット５４を示す。
図７において、カプラユニット５４は、光カプラ（図示せず）を内蔵する合成樹脂製薄板状のカプラモジュール５５を図７中紙面奥行き方向に複数横並びに配列収納している（図１参照）。カプラモジュール５５の両側にはアダプタ部５６を対向配置している。カプラユニット５４のジャンパ側（図７中左側）では各カプラモジュール５５の一方のアダプタ部５６が配列されることになり、その結果図１に示すようにこのカプラユニット５４では多数のアダプタ部５６が高密度に実装されることになる。
アダプタ部５６には、切替用光ファイバ３３先端の光コネクタプラグ５３が切替可能に接続される。場合によってはコネクタ付きケーブル２５の光ファイバ３１や装置側光ファイバ３５のプラグ成端された端部が接続される。
また、カプラモジュール５５は前記光カプラに接続された監視用端子５５ａを備え、この監視用端子５５を、線路監視装置に接続された光ファイバ選択装置５８の接続端子５７と接続している。
なお、図７中符号５４ａはユニット本体、５４ｂはコード受け樋である。
【００２５】
両側のアダプタ部５６に接続した切替用光ファイバ３３同士は前記光カプラを介して接続され、さらに光ファイバ選択装置５８とも接続される。また、一方のアダプタ部５６に切替用光ファイバ３３を接続し、他方のアダプタ部に光ファイバを接続しない場合でも、アダプタ部５６に接続した切替用光ファイバ３３を線路監視装置と接続することができ、したがって該切替用光ファイバ３３に係る光線路を線路監視することができる。このことは、アダプタ部５６に光ファイバ３１や３５を接続した場合でも同様である。
【００２６】
図２は、この光配線盤２０内の光配線を示す概念図である。
図２において、線路側の光ファイバ２８または３１について線路監視を行う場合には、線路側成端部２１ａにて目的の光ファイバ２８または３１に切替用光ファイバ３３ａ（３３）の一端を接続し、該切替用光ファイバ３３ａの他端をカプラモジュール５５に接続する。これにより、目的の光ファイバ２８または３１を光ファイバ選択装置５８と接続して線路監視することができる。一方、装置側光ファイバ３５について線路監視を行う場合には、装置側成端部２３ａにて目的の装置側光ファイバ３５に切替用光ファイバ３３ｂ（３３）の一端を接続し、該切替用光ファイバ３３ｂの他端をカプラモジュール５５に接続することにより、装置側光ファイバ３５を光ファイバ選択装置５８により線路監視することができる。
【００２７】
また、光ファイバ２８または３１に接続した切替用光ファイバ３３ａと装置側光ファイバ３５に接続した切替用光ファイバ３３ｂとを同一のカプラモジュール５５に対向する両側からそれぞれアダプタ部５６に接続すると、カプラモジュール５５を介して目的の光ファイバ２８または３１と装置側光ファイバ３５とが接続され、しかも、これら線路側の光ファイバ２８または３１と装置側光ファイバ３５の両方の光線路を線路監視することができる。
この場合、切替用光ファイバ３３ａあるいは３３ｂをカプラモジュール５５に対して切替接続することにより、光ファイバ２８または３１と装置側光ファイバ３５との間の切替接続を簡便に行うことができ、光ファイバ２８、３１や装置側光ファイバ３５を移動する必要は無い。切替用光ファイバ３３ａや３３ｂのカプラモジュール５５に対する切替接続とは、カプラモジュール５５間での切り替えの他、多心のアダプタ部５６内における単心光コネクタプラグの切り替えが含まれる。
【００２８】
光ファイバ２８または３１を装置側光ファイバ３５と接続し、かつ線路監視を行わない場合には、線路側成端部２１ａにて切替用光ファイバ３３ｃ（３３）の一端を目的の光ファイバ２８、３１と接続し、該切替用光ファイバ３３ｃの他端を装置側成端部２３ａにて目的の装置側光ファイバ３５と接続する。光ファイバ２８または３１と装置側光ファイバ３５との間の切替接続は切替用光ファイバ３３ｃの切替により簡便に行うことができ、光ファイバ２８、３１や装置側光ファイバ３５を移動する必要は無い。
【００２９】
なお、コネクタ付きケーブルである光ケーブル２５の光ファイバ３１や、プラグ成端されている装置側光ファイバ３５は、直接カプラモジュール５５のアダプタ部５６に接続することも可能である。この場合、切替用光ファイバ３３ａ、３３ｂ、３３ｃの本数を減少できるので、光配線盤２０の省スペース化や、これら切替用光ファイバ３３ａ、３３ｂ、３３ｃによる切替作業性の向上が可能になる。また、アダプタ部５６に接続した光ファイバ３１や装置側光ファイバ３５は切替接続可能であることは言うまでもない。
【００３０】
この光配線盤２０によれば、切替用光ファイバ３３ａ、３３ｂ、３３ｃの切替接続により、光ファイバ２８、３１や装置側光ファイバ３５の線路監視の有無を簡便に切り替えることができる。
すなわち、切替用光ファイバ３３ｃによって接続された光ファイバ２８または３１や装置側光ファイバ３５については、切替用光ファイバ３３ｃによる接続を解除し、切替用光ファイバ３３ａ、３３ｂを使用してカプラモジュール５５と接続することにより、線路監視無しから線路監視有りに簡便に切り替えることができる。逆に、切替用光ファイバ３３ａによってカプラモジュール５５と接続された光ファイバ２８または３１や、切替用光ファイバ３３ｂによってカプラモジュール５５と接続された装置側光ファイバ３５については、切替用光ファイバ３３ａや３３ｂによる接続を解除し、切替用光ファイバ３３ｃによって互いに接続することにより線路監視有りから線路監視無しに簡便に切り替えることができる。
このように、線路監視の有無は切替用光ファイバ３３ａ、３３ｂ、３３ｃの切替接続により簡便に切り替えることができ、しかもこの切替作業に際しては光ファイバ２８、３１や装置側光ファイバ３５を移動する等の作業は不要である。また、切替用光ファイバ３３ａ、３３ｂ、３３ｃの切替作業は、中継架体２２とカプラユニット５４とにおいて集約的に行うことができ、高い作業性が得られる。
【００３１】
図１４や図１５に示した従来例の光配線盤では光線路の線路監視を行う場合には、カプラユニットを実装するスペースを設ける必要があり、しかも融着部トレー収納部の設置スペースおよび該融着部トレー収納部から分岐接続トレー収納部までの光ファイバの布線長が長くなることに比べて、この光配線盤２０では線路側の光ファイバ２８、３１と装置側光ファイバ３５との間を切替接続する切替用光ファイバ３３ａ、３３ｂ、３３ｃがカプラユニット５５との接続をも兼ねるので内部の光ファイバの配線量を大幅に減少することができ、その結果、光ファイバ２８、３１と装置側光ファイバ３５の接続数の増大や、小型化が可能になる。
また、従来例の光配線盤では融着部トレー収納部や分岐接続トレー収納部の構成が特殊であり、低コスト化や省スペース化が困難であるのに対し、本実施形態の光配線盤２０では、光コネクタアダプタ４３や４１を高密度に実装することができる成端ユニット２９、３８を採用しているので、低コスト化や大幅な省スペース化が容易である。特に、成端ユニット２９では、プラグ成端されていない光ファイバ２８と成端光ファイバ５１との光接続部５２や余長をコンパクトに収納することができ、しかも光ファイバ２８、３１の成端の有無に光コネクタアダプタ４３の接続心数単位で対応することができるので、光配線盤２０に無駄なスペースを生じるといった不都合が解消され、光配線盤２０内の容積を極めて有効に利用することができる。
【００３２】
図８は、カプラユニット５４に適用される別態様のカプラモジュール５９を示す。
このカプラモジュール５９は、カプラモジュール５５と同様にプラスチック等の合成樹脂から薄板状に形成され、カプラユニット５４内に複数横並びに配列収納される。そしてこのカプラモジュール５９は外側に引き出されたカプラ接続用光ファイバ５９ａと、アダプタ部５９ｂと、接続端子５７に接続される監視用端子５９ｃとを備え、内部に収納した光カプラ（図示せず）を介してカプラ接続用光ファイバ５９ａ側の光線路とアダプタ部５９ｂ側に接続された光線路とを光接続し、さらにこれら光線路を監視用端子５９ｃおよび接続端子５７、光ファイバ選択装置５８を介して線路監視装置とも接続するようになっている。
カプラ接続用光ファイバ５９ａは光コネクタプラグ５９ｄによって成端されており、線路側成端ユニット２９のアダプタパネル４３の光コネクタアダプタ４５や、伝送装置側成端ユニット３８のアダプタパネル４１の光コネクタアダプタ４０に接続可能になっている。
【００３３】
このカプラモジュール５９をカプラモジュール５５に代えてカプラユニット５４内に収納すると、切替用光ファイバ３３ａ、３３ｂ（図２参照）に代えてカプラ接続用光ファイバ５９ａを代用することができる。すなわち、カプラ接続用光ファイバ５９ａは、線路側成端ユニット２９（図２中図示せず）のアダプタパネル４３の光コネクタアダプタ４５や、伝送装置側成端ユニット３８（図２中図示せず）のアダプタパネル４１の光コネクタアダプタ４０に接続することにより、切替用光ファイバ３３ａ、３３ｂと同様の機能を果たすことができる。一方、アダプタ部５９ｂには、カプラモジュール５５の場合と同様に、切替用光ファイバ３３ａや３３ｂ、あるいは線路側光ファイバ３１や装置側光ファイバ３５が切替可能に接続される。
このカプラモジュール５９では、カプラ接続用光ファイバ５９ａを使用することにより、切替用光ファイバ３３ａ、３３ｂを使用した場合に比べて接続点を減らすことができるので、接続作業工数が減少して作業能率を向上できるとともに、切替用光ファイバ３３ａ、３３ｂの製作数を減少できるため低コスト化できるといった効果が得られる。
【００３４】
図９は、カプラユニット５４に適用される別態様のカプラモジュール６０を示す。
このカプラモジュール６０は、カプラモジュール５５と同様にプラスチック等の合成樹脂から薄板状に形成され、カプラユニット５４内に複数横並びに配列収納される。そしてこのカプラモジュール６０は外側に引き出されたカプラ接続用光ファイバ６０ａと、アダプタ部６０ｂと、接続端子５７と接続される監視用端子６０ｃとを備え、カプラ接続用光ファイバ６０ａ側の光線路とアダプタ部６０ｂ側の光線路と監視用端子６０ｃ側の光線路とを互いに接続する光カプラ（図示せず）を内蔵している。
【００３５】
このカプラジュール６０は接続モジュール６１を併用して使用される。
すなわち、このカプラモジュール６０では、光配線盤２０内に引き込んだ線路側の光ファイバ２８をカプラ接続用光ファイバ６０ａと接続することで、線路側の成端ユニット２９を経由させずに接続することが可能である。この点については、プラグ成端されていない装置側光ファイバを光配線盤２０内に引き込んだ場合についても同様である。
光ファイバ２８とカプラ接続用光ファイバ６０ａとの光接続部６１ａ（融着接続部）は余長とともに接続モジュール６１内にコンパクトに収納される。接続モジュール６１は合成樹脂等から薄板状に形成され、カプラユニット５４内に取り付けられた支持軸６２により垂直面内を回転自在に支持され、カプラモジュール６０と同様に横並びに（図９中紙面奥行き方向）に配列される。
【００３６】
なお、カプラ接続用光ファイバ６０ａはＪＩＳ  Ｃ  ５９８１に制定されるいわゆるＭＴコネクタ（Mechanical Tranferable)により成端することも可能であり、この場合には同様にＭＴコネクタにより成端された線路側光ファイバや伝送装置側光ファイバとの接続に容易に対応できる。
また、多心の光ファイバに接続するカプラ接続用光ファイバとしては、例えば光接続部６１ａにより接続される端部のみが多心で他の部分が単心に構成されたものを採用する。この場合、多心、単心分岐部６１ｄ（図９参照）を接続モジュール６１内あるいはカプラモジュール６０内に収納する。
【００３７】
次に本発明の第２実施形態の光配線盤７０を図１０および図１１を参照して説明する。
図１０に示すように、この光配線盤７０は、伝送装置側のコードケーブル３４から引き出した装置側光ファイバ３５が接続される装置側成端ユニット７２が１または複数収納される装置側成端部７３と、線路側の光ケーブル２４、２５から引き出された光ファイバ２８、３１が接続される線路側成端ユニット７４が１または複数収納される線路側成端部７５と、線路監視装置の光ファイバ選択装置５８と接続されたカプラユニット７６とを架体７７内に備える。装置側成端部７３は架体７７の上部に設けられ、線路側成端部７５は架体７７の中央部に設けられる。カプラユニット７６は架体７７の下部に１または複数収納される。
【００３８】
装置側成端ユニット７２は第１実施形態の光配線盤２０の成端ユニット３８と同様の構成であり、装置側光ファイバ３５のプラグ成端された端部が接続されるアダプタパネル７８を備え、前記装置側光ファイバ３５と該装置側光ファイバ３５に対して反対側からアダプタパネル７８に差し込まれた切替用光ファイバ７１ａ（ジャンパコード）とを切替可能に接続する。
線路側成端ユニット７４は第１実施形態の光配線盤２０の成端ユニット２９と同様の構成であり、適宜プラグ成端した光ファイバ２８、３１をアダプタパネル７９を介して切替用光ファイバ７１ｂ（ジャンパコード）に対して切替可能に接続する。
なお、成端ユニット７２、７４の構成は、装置側光ファイバ３５や光ファイバ２８、３１の成端の有無等によって適宜変更可能である。
【００３９】
カプラユニット７６は第１実施形態の光配線盤２０のカプラユニット５４と同様の構成であり、切替用光ファイバ７１ａ、７１ｂが接続されることにより、これら切替用光ファイバ７１ａ、７１ｂに係る光線路（装置側光ファイバ３５や光ファイバ２８、３１等）と光ファイバ選択装置５８とを接続することができる。
また、カプラユニット７６には、場合によっては装置側光ファイバ３５や線路側の光ファイバ２８、３１を直接引き込み、必要に応じてプラグ成端した上で切替可能に接続することもできる。図７から図９に示したように、カプラユニット７６は、組み込むカプラモジュール５５、５９、６０を適宜選択することにより、光ファイバのプラグ成端の有無等に対応して接続が可能になる。
【００４０】
図１１はこの光配線盤７０内の光配線を示す概念図である。
図１１に示すように、この光配線盤７０にて、線路側の光ファイバ２８または３１に対して目的の装置側光ファイバ３５を接続し、かつ接続した光ファイバに係る光線路を線路監視するには、装置側成端部７３にて光コネクタアダプタ７８ａ目的の装置側光ファイバ３５に接続した切替用光ファイバ７１ａと、線路側成端部７５にて光コネクタアダプタ７９ａを介して目的の線路側光ファイバ２８または３１に接続した切替用光ファイバ７１ｂとをカプラユニット７６内に複数横並びに収納されたカプラモジュール７６ａ（図１０参照）を介して接続する。これにより、図１１に示すように、線路側の光ファイバ２８または３１に係る光線路および装置側光ファイバ３５に係る光線路が共にカプラモジュール７６ａ内蔵の光カプラを介して線路監視装置の光ファイバ選択装置５８とも接続され、線路監視することができる。
ここで、装置側、線路側の成端部７３、７５やカプラユニット７６にて切替用光ファイバ７１ａ、７１ｂを切替接続すると、光ファイバ２８または３１と装置側光ファイバ３５との間の接続を簡便に切り替えることができ、この切替接続作業に際しては光ファイバ２８、３１や装置側光ファイバ３５を移動する必要が無い。
【００４１】
光ファイバ２８または３１と装置側光ファイバ３５とを線路監視せずに接続する時には、装置側、線路側の成端部７３、７５の光コネクタアダプタ７８ａ、７９ａ間に布線した切替用光ファイバ７１ｃにより該当の光ファイバ２８、３１、３５同士を切り替え可能に接続する。
切替用光ファイバ７１ａ、７１ｂ、７１ｃは同様の光コネクタプラグにより両端がプラグ成端されており、したがって、この光配線盤７０では切替用光ファイバ７１ａ、７１ｂ、７１ｃの接続を切り替えるだけで、光ファイバ２８、３１や装置側光ファイバ３５の線路監視の有無をも簡便に切り替えることができ、しかもこの作業に際しても光ファイバ２８、３１や装置側光ファイバ３５を架体７７内で移動する必要は無い。また、切替用光ファイバ７１ａ、７１ｂ、７１ｃは、架体７７の一側部（図１１中右側）に集中的に配線しているので、目的の切替用光ファイバ７１ａ、７１ｂ、７１ｃの取り出しが容易であり切替作業を迅速に行える上、切替作業架体７７の反対側に配線した光ファイバ２８、３１等に切替用光ファイバ７１ａ、７１ｂ、７１ｃの切替作業が影響を与えることを回避でき、切替作業を効率良く行うことができるといった効果も得られる。
【００４２】
以下、第３実施形態の光配線盤８０を図１２および図１３を参照して説明する。
図１２において、この光配線盤８０は、線路側の光ケーブル２４、２５から引き出された光ファイバ２８、３１と、伝送装置側のコードケーブル３４から引き出された装置側光ファイバ３５とが引き込まれて互いに接続される成端部８１を架体８２内に備えている。成端部８１内には、複数の成端ユニット８３を上下に多段に収納している。前記成端ユニット８３はアダプタパネル８４を具備し、該アダプタパネル８４に多数取り付けた光コネクタアダプタ８５にはプラグ成端されている光ファイバ３１や、図４に示した成端ユニット２９と同様の構成により光ファイバ２８に接続した成端用光ファイバ（図１２中図示せず）のプラグ成端された端部が図１２中紙面奥側（ケーブル側）から切替可能に接続され、一方、紙面手前側（ジャンパ側）からは装置側光ファイバ３５や切替用光ファイバ８７（ジャンパコード）が切替可能に接続されるようになっている。
架体８２内にて成端部８１の下側には、カプラユニット８６と、該カプラユニット８６に接続された光線路を線路監視する線路監視装置の光ファイバ選択装置５８とを配置している。カプラユニット８６は第１実施形態の光配線盤２０のカプラユニット５４と同様の構成であり、図７から図９に示したいずれかのカプラモジュールが組み込まれるようになっている。
【００４３】
図１３はこの光配線盤８０内の光配線を示す概念図である。
図１３において、光ファイバ２８、３１を目的の装置側光ファイバ３５と接続しかつ線路監視を行うには、成端部８１にて光ファイバ２８または３１を光コネクタアダプタ８５を介して切替用光ファイバ８７の一端と接続し、装置側光ファイバ３５を直接カプラモジュール８６ａに接続する。カプラモジュール８６ａでは、内蔵した光カプラを介して切替用光ファイバ８７と装置側光ファイバ３５とが接続されると同時に、これら光ファイバ８７、３５に光ファイバ選択装置５８が接続される。これにより、光ファイバ２８、３１や装置側光ファイバ３５の線路監視が可能になる。なお、この時、成端部８１は請求項４の線路側成端部として機能する。一方、光ファイバ２８、３１を目的の装置側光ファイバ３５と接続しかつ線路監視を行わない場合には、成端部８１にて光コネクタアダプタ８５を介して双方を接続する。
【００４４】
光ファイバ２８または３１と装置側光ファイバ３５との間の接続を切り替えるには、線路監視を行っていない場合には、これら光ファイバ２８または３１や装置側光ファイバ３５を光コネクタアダプタ８５に対して切替接続するだけで簡便に行うことができる。一方、線路監視を行っている場合には、切替用光ファイバ８７を光コネクタアダプタ８５あるいはカプラモジュール８６ａに対して切替接続することにより簡便に行うことができ、光ファイバ２８、３１や装置側光ファイバ３５を移動する必要は無い。
なお、切替用光ファイバ８７のカプラモジュール８６ａに対する切替接続は、カプラモジュール８６ａ間での切り替えの他、カプラモジュール８６ａに取り付けられた多心のアダプタ部内における切り替えが含まれる。
【００４５】
この光配線盤８０では、切替用光ファイバ８７と装置側光ファイバ３５から選択したいずれか一方を光コネクタアダプタ８５に接続することにより線路側の光ファイバ２８、３１に対して接続するだけで、光ファイバ２８、３１や装置側光ファイバ３５の線路監視の有無を簡便に切り替えることができる。
すなわち、カプラモジュール８６ａを介して接続した光ファイバ２８または３１と装置側光ファイバ３５の線路監視を解除して接続し直すには、切替用光ファイバ８７を光コネクタアダプタ８５から取り外し、装置側光ファイバ３５の接続をカプラモジュール８６ａから光コネクタアダプタ８５に変更することにより、この装置側光ファイバ３５を目的の光ファイバ２８または３１に対して接続することができ、これにより光ファイバ選択装置５８による線路監視を簡便に解除することができる。逆に、光コネクタアダプタ８５を介して線路監視無しで接続された光ファイバ２８または３１と装置側光ファイバ３５を線路監視するには、目的の装置側光ファイバ３５を光コネクタアダプタ８５から取り外してカプラモジュール８６ａに接続するとともに、切替用光ファイバ８７を光コネクタアダプタ８５に接続して線路側の光ファイバ２８、３１をカプラモジュール８６ａと接続し、これにより光ファイバ２８または３１側の光線路と装置側光ファイバ３５とをカプラモジュール８６ａを介して互いに接続する。
【００４６】
このように、線路監視の有無を切り替える作業は、装置側光ファイバ３５や切替用光ファイバ８７の操作のみにより行うことができ、光ファイバ２８、３１を移動する必要は無いので、高い作業性が得られる。しかも、作業に際しては、架体８２の一側部（図１３中右側）に集中的に配線した切替用光ファイバ８７および装置側光ファイバ３７を取り扱えば良いので、切替接続作業性を向上することができる。
【００４７】
また、図１４に示した従来例の光配線盤が分岐接続トレー収納部Ｔ2とカプラユニットとの間を接続する光ファイバを別途必要とするのに対し、この光配線盤８０では切替用光ファイバ８７と装置側光ファイバ３７のみによって線路監視の有無を簡便に切り替えることができ、架体８２内の光配線を大幅に減少することができるので、省スペース化や低コスト化が可能である。また、成端部８１は光コネクタアダプタ８５を高密度実装できるため省スペース化を図ることができ、対応心数を増大することができる。
【００４８】
なお、本発明は前記した各実施形態に限定されず、例えば、光ファイバ２８、３１の心数や種類、カプラモジュール５５、５９、６０に採用される光アダプタの対応心数等は適宜変更可能であることは言うまでも無い。
【００４９】
【発明の効果】
以上説明したように、本発明の光配線盤によれば、線路側成端部と装置側成端部との間、あるいは線路監視装置へ接続される光ファイバ選択装置に接続されたカプラモジュールと線路側成端部や装置側成端部との間を切替用光ファイバによって切り替え可能に接続し、該切替用光ファイバの接続を切り替えることにより、互いに接続された光ケーブル側の光ファイバと伝送装置側の光ファイバとの線路監視の有無が切り替えられるようにしたので、
（イ）切替用光ファイバの切替接続のみによって、光ケーブル側の光ファイバや伝送装置側の光ファイバを移動すること無く線路監視の有無を簡便に切り替えることができ、この切替作業の作業性が向上する、
といった優れた効果を奏する。
【００５０】
前記カプラモジュールは、前記光ケーブル側の光ファイバ、前記伝送装置側の光ファイバ、前記切替用光ファイバの内のいずれか一つまたは複数が切替可能にコネクタ接続される一対のアダプタ部と、前記光ファイバ選択装置の接続端子に接続される監視用端子とを備え、両アダプタ部に接続した光ファイバ同士が前記光カプラを介して接続されさらに線路監視装置とも接続されるようになっている構成を採用すると、
（ロ）アダプタ部に対する光ファイバの接続を切り替えるだけで、光ケーブル側の光ファイバおよび伝送装置側の光ファイバに対する線路監視の有無を簡便に切り替えることができる、
（ハ）アダプタ部に対する光ファイバの切替接続によって、光ケーブル側の光ファイバと伝送装置側の光ファイバとの間の切替接続をも簡便に行うことができ、切替接続の作業性が向上する
といった優れた効果を奏する。
【００５１】
また、コネクタ接続可能に成端されていない前記光ケーブル側の光ファイバと前記カプラモジュールに接続されたカプラ接続用光ファイバとを接続した融着接続部を収納する接続モジュールを前記カプラユニット内に組み込んだ構成を採用すると、
（ニ）光ケーブル側の光ファイバあるいは伝送装置側の光ファイバをカプラ接続用光ファイバと接続するだけで、該光ファイバをカプラモジュールと容易に接続することができる、
（ホ）光接続部や接続に伴って生じた余長を接続モジュールによりコンパクトに収納することができ、架体内の容積を有効に利用することができる、
（ヘ）コネクタ成端されていない線路側あるいは伝送装置側の光ファイバを接続モジュールにてカプラ接続用光ファイバと接続するだけで、これら光ファイバをカプラモジュールと接続することができるため、融着部トレーや分岐接続トレーを経由して成端する従来例に比べて架体内の容積を有効利用することができ、対応心数を増大できる、
（ト）（ヘ）の接続モジュールはコネクタ成端されていない光ファイバに対応して必要に応じて設置すれば良く、カプラユニットに接続する光ファイバ毎にこの接続モジュールの有無を選択するだけで、この光ファイバをそのコネクタ成端の有無に対応して効率良くカプラモジュールに接続することができる
といった優れた効果を奏する。
【図面の簡単な説明】
【図１】  本発明の光配線盤の第１実施形態を示す全体正面図である。
【図２】  図１の光配線盤内の光配線を示す概念図である。
【図３】  図１の光配線盤に適用する装置側成端部の成端ユニットを示す斜視図である。
【図４】  図１の光配線盤に適用する線路側成端部の成端ユニットを示す斜視図である。
【図５】  図４の成端ユニットの作用を示す側面図である。
【図６】  図４の成端ユニットの接続モジュールを示す平面図である。
【図７】  図１の光配線盤のカプラユニットに適用されるカプラモジュールを示す図であって、両側にアダプタ部を具備するカプラモジュールを示す側面図である。
【図８】  図１の光配線盤のカプラユニットに適用されるカプラモジュールを示す図であって、接続モジュールを併用して使用されるカプラモジュールを示す側面図である。
【図９】  図１の光配線盤のカプラユニットに適用されるカプラモジュールを示す図であって、プラグ成端されていないカプラ接続用光ファイバを具備するカプラモジュールを示す側面図である。
【図１０】  本発明の第２実施形態の光配線盤を示す正面図である。
【図１１】  図２の光配線盤内の光配線を示す概念図である。
【図１２】  本発明の第３実施形態の光配線盤を示す正面図である。
【図１３】  図１２の光配線盤内の光配線を示す概念図である。
【図１４】  従来例の光配線盤を示す正面図である。
【図１５】  従来例の光配線盤を示す図であって、３つの架体からなる光配線盤を示す正面図である。
【符号の説明】
２０…光配線盤、２１…架体（線路側架体）、２１ａ…線路側成端部、２３…架体（装置側架体）、２３ａ…装置側成端部、２４…光ケーブル、２５…光ケーブル（コネクタ付きケーブル）、２８…光ファイバ（線路側光コード）、３１…光ファイバ（線路側光コード）、３３、３３ａ、３３ｂ、３３ｃ…切替用光ファイバ（ジャンパコード）、３５…伝送装置側の光ファイバ（装置側光コード）、５４…カプラユニット、５５…カプラモジュール、５６…アダプタ部、５７…接続端子、５５ａ…監視用端子、５８…光ファイバ選択装置、５９…カプラモジュール、５９ａ…カプラ接続用光ファイバ、５９ｃ…監視用端子、６０…カプラモジュール、６０ａ…カプラ接続用光ファイバ、６０ｃ…監視用端子、６１…接続モジュール、７０…光配線盤、７１ａ、７１ｂ、７１ｃ…切替用光ファイバ（ジャンパコード）、７３…装置側成端部、７５…線路側成端部、７６…カプラユニット、７６ａ…カプラモジュール、７７…架体、８０…光配線盤、８１…線路側成端部（成端部）、８２…架体、８６…カプラユニット、８６ａ…カプラモジュール、８７…切替用光ファイバ（ジャンパコード）。
【図１】
0003819130.tif 000002
【図２】
0003819130.tif 000003
【図３】
0003819130.tif 000004
【図４】
0003819130.tif 000005
【図５】
0003819130.tif 000006
【図６】
0003819130.tif 000007
【図７】
0003819130.tif 000008
【図８】
0003819130.tif 000009
【図９】
0003819130.tif 000010
【図１０】
0003819130.tif 000011
【図１１】
0003819130.tif 000012
【図１２】
0003819130.tif 000013
【図１３】
0003819130.tif 000014
【図１４】
0003819130.tif 000015
【図１５】
0003819130.tif 000016